(57)【要約】      （修正有）【課題】掃除機の吸い込み口ヘッドに任意に着脱可能な接続部を有する電気掃除機用取替えノズルである。【解決手段】筒状で、先端部１は斜めに切り取られた形またはT字ノズルなど任意の形状をしており、掃除機につながるホースの口側３の周面に軸方向に沿う切れ込み６が入り、接続面５に複数の凹凸を有することを特徴とする電気掃除機用取替えノズル。使い捨てに適したリサイクルペーパーを使用すると使い捨て吸い込み口として利用できる。前方が斜めに切り取られた筒状であり、円柱形または反対側にむかって緩やかにすぼまった形状をしていて、掃除機ホースの大きさに合わせてノズルの接続部４の大きさが変えられる接続部４を有し、色々な太さの掃除機吸い込み口ヘッドに任意に着脱可能である。【選択図】図１
2013215462.tif 000002
【特許請求の範囲】
【請求項１】
電気掃除機に取り付けるノズルにおいて、掃除機につながるホースの先端の口に取り付けられる電気掃除機用取替えノズルであって、筒状の胴体面を有し、
前記胴体面の掃除機につながるホースの先端の口の側に、ホースの口に挿着する接続部を有し、
接続部の反対側の端部に吸い込み口を有し、
前記接続部の外周面に、掃除機につながるホースの先端の口の内周面と接する接続面を有し、
前記接続部の開端部の周面から、前記接続面に切れ込みが入っていることを特徴とする電気掃除機用取替えノズル。
【請求項２】
上記接続部の開端部の周面から、上記接続面に切れ込みが1本入っていることを特徴とする請求項１に記載の電気掃除機用取替えノズル。
【請求項３】
上記接続面に複数の凹凸を有することを特徴とする請求項１または請求項２に記載の電気掃除機用取替えノズル。
【請求項４】
上記接続部は開端部に向かって窄まった形状で、上記吸い込み口が斜めに切り取られた形状であることを特徴とする請求項１ないし請求項３のいずれかに記載の電気掃除機用取替えノズル。
【請求項５】
紙または、シリコン樹脂などの可塑性のある材料からなることを特徴とする請求項１ないし請求項４のいずれかに記載の電気掃除機用取替えノズル。    
【請求項６】
上記吸い込み口の開端部の周面から、上記胴体面に複数の切れ込みが入って、開端部の周面が円形のブラシ状になっていることを特徴とする請求項１ないし請求項５のいずれかに記載の電気掃除機用取替えノズル。
【発明の詳細な説明】
【技術分野】
【０００１】
本発明は、電気掃除機用取替えノズルに関し、詳しくは、電気掃除機のノズルの色々な太さに合わせて任意に着脱可能な電気掃除機用ノズルに関するものである。
【背景技術】
【０００２】
従来、一般的に家庭内で使用されている真空掃除機は、清掃する目的や対象物に応じて多種多様の専用ノズルが用意されている。例えば、床・畳・絨毯等の広い範囲の掃除には、吸口部の開口面積が大きいＴ字形ノズルを使用し、また、隙間・棚・家具などの狭い範囲の掃除には開口面積の小さいノズルを使用する。また、家具の隙間や棚のコーナ等の掃除には、先端部を楕円状にしてノズルの吸口部を斜めに切断して形成されたものが便利である。そして、掃除機に付属のこれら専用ノズルは、ポリプロピレン等の合成樹脂でできており、掃除機の可撓ホースや延長用パイプの先端部に取り付けて掃除機本体と供に長期間使用されるものである。
【０００３】
さらに時として、掃除機は玄関のたたきやベランダ等の汚れの酷い場所の掃除や、猫、鳥、犬等ペットによる室内の汚れの掃除に掃除機を使用したい場合も生じる。このような汚れのひどい場所に掃除機を使用すると手を汚さずに掃除できるので極めて便利であるが、ノズルの吸口部を汚すことになり、汚れた状態のまま室内で使用すると不衛生であるが、かといって使用後その都度ノズルを水洗いするのでは極めて面倒であることから、吸い込みノズルに任意に着脱可能なカバーを取り付けるものがある。(例えば、特許参考文献１参照。)
【０００４】
この特許参考文献１の技術は、二枚の長方形のシートの周囲を接着し、片面の中央部に開口を有した袋状のカバーで、開口部に伸縮部材を有している。
【０００５】
ほかにも、掃除機の可撓性ホースまたは延長用パイプの先端部に嵌着可能な、複数の外径にて段状に形成された接続パイプと、当該接続パイプの先端に装着される筒状の紙製ノズルとで構成される掃除機用ノズル組立がある。（例えば、特許参考文献２参照。）これはノズル部分を使い捨てとすることにより、特に汚れの酷い場所や、衛生上付属のノズルでは使用が憚れる清潔な場所での使用に好適である。さらに市販トイレットペーパーの巻き芯を紙製ノズルの代わりに使用できることを特徴としている。
【０００６】
さらに、掃除の用途に合わせた取替えノズルが市販されており、掃除機によって内径の異なる可撓性ホースまたは延長用パイプの先端部に嵌着できるよう、ノズルの接続部分が窄まった形をしていたり、接続部分に軸方向に沿う溝を有していたり、ゴム製のカバーを接続部にはめて滑り止めとしたりしている。
【０００７】
さらに、トイレットペーパーの芯を吸い込み口に取り付けて使い捨てるという方法がある。
【先行技術文献】
【特許文献】
【０００８】
【特許文献１】特許公開２００８−２３２８２号公報
【特許文献２】特許公開２００２−２８１１０号公報
【発明の概要】
【発明が解決しようとする課題】
【０００９】
トイレ、玄関、バルコニーといった場所の掃除と室内や布団などの掃除をする際、吸い込み口を兼用することは、汚れの種類が違うため抵抗がある。
また布団に付着した花粉やダニを掃除機で吸い取るという用途が求められているが、特に布団は清潔に使いたいので、トイレ掃除と吸い込み口を兼用することには抵抗を感じる。
吸い込み口が洗えるものは、掃除のあと、洗わなくてはならない。また、トイレや玄関と布団を同じ吸い込み口を使用することは、洗った程度では兼用することに抵抗を感じる。
洗える素材はプラスチック、ポリプロピレン等の硬い素材でできているので、他のさまざまな大きさの掃除機に合わせて挿着できない。
そのため従来の筒状吸い込みノズルは、同じ機種やメーカーでないと筒の大きさがあわないので、他の機種の掃除機には取り付けられないという欠点がある。
【００１０】
特許参考文献１の使い捨てのカバーは、長方形の形状なので、T字型の掃除機吸い込みノズルをカバーするものだが、T字型の吸い込みノズルの縦横の幅や厚みは機種によって異なる幅が大きいため、より多くの機種に対応して使用することが難しいという欠点がある。
また、玄関の隅などの細かい部分の掃除にはT字型ノズルは適さないという欠点がある。
【００１１】
特許参考文献２のノズル組立は、掃除機の可撓性ホースまたは延長用パイプの先端部に挿嵌する継ぎ手部が、先端側より順次細径から太径に至る四段階の径にて段状に形成されている。この形状は段状部分に可撓性ホースまたは延長用パイプの内径が引っかかると、挿嵌ができない。さらに、前記継ぎ手部はポリプロピレン等の合成樹脂より成るので、可撓性ホースまたは延長用パイプの内径が少しでも大きい場合も小さい場合も滑りが生じて外れてしまう。ほかにもパイプの内径が小さいと、前記継ぎ手部の先端部しか接続できないので、掃除中に簡単に外れてしまうことから、殆どの掃除機に対応できるわけではない。
【００１２】
こうしたことから、市販されている取り付けノズルは取り付け口に向かって窄まった形をしており、接続部分に軸方向に沿う溝を有していたり、ゴム製のカバーをはめて滑り止めとしたりしている。従来の取り付けノズルは、必ず窄まった形をしていなくてはいろいろな大きさの掃除機の可撓性ホースまたは延長用パイプの内径に沿って挿嵌することは出来ないため、窄まった形状に生産しなくてはならない。窄まった形状を成形するのは円柱形を成形するよりも技術的に難しさがある。
また、さらに軸方向に沿う溝を有していると、溝が無いすぼまった形状や順次細径から太径に至る四段階の径にて段状に形成されているものよりは、内径に沿って挿嵌ができるが、溝があるだけでは取り付けノズルの接続部分の外径に変化があるわけではないので、滑り止めの効果が考えられるが、わずかなばらつきを吸収する程度である。
ゴム製のカバーをはめると滑り止めになり、確実な挿嵌ができる。しかし接触面が大きくないと摩擦による滑り止め効果が薄れるため、対応する内径の幅は限られ、先端部しか接続できない場合は、掃除中に簡単に外れてしまうことから、殆どの掃除機に対応できるわけではない。また、ゴム製のカバーが磨耗して破損したりすると、取り替えなくてはならない。またゴム製カバーを紛失しただけでノズル全部が使用できなくなってしまう。
【００１３】
このように殆どの掃除機の可撓性ホースまたは延長用パイプの先端部に確実に挿嵌することができる取替えノズルが無いため、用途別のノズルを購入しても差し込めなかったり、簡単に外れてしまったりして使用できないことがあり、結局は掃除機に付属の専用ノズルだけを使用することが多いのが現状である。
【００１４】
トイレットペーパーの芯を吸い込み口に取り付ける場合、トイレなどの掃除に使用することは抵抗が無いが、トイレットペーパーの芯で布団を掃除することには抵抗を感じる。また、トイレットペーパーの芯の形状は必ずしも掃除機吸い込み口に確実にはまるわけではなく、形状が合わないこともある。また、トイレットペーパーの紙芯は柔らかく吸引時に潰れてしまうことがある。さらに円柱形で、床に斜めに接することができないため、吸引の音が異常に大きく耳障りな異常音を発し、床に吸い込み口が垂直に張り付いて離れなくなるなどして、吸い込みにくいという欠点がある。
【００１５】
そこで本発明は、取り付け口に向かって窄まった形状に成形しなくても効果が得られるので成形が従来よりも容易でありる円柱形であっても、機種メーカーが異なりパイプの太さが違う多くの掃除機吸い込みノズルに適合して着脱可能であり、斜めの吸い込み口により床に接して吸い込みができ、使い捨てができるので、トイレや玄関用に使用して、汚れたら捨てることができて、布団などの綺麗に使いたい場所には専用に使うことができる掃除機取替えノズルを提供することを目的としている。
【００１６】
さらに、取り付け口に向かって窄まった形状と組み合わせることによってよりいろいろな太さの掃除機吸い込み口に適合して着脱可能となる。
【００１７】
さらに、洗うことができる素材を使用した場合は、汚れたら熱湯消毒して繰り返し使用できる掃除機取替えノズルを提供することを目的としている。
【００１８】
さらに、従来のポリプロピレン等の合成樹脂によって作られたノズルにおいても、滑ったり外れたりしにくく、通常使用される殆どの掃除機にアタッチメント無しでそのまま対応ができる。したがって挿着が可能な内径の大きさの範囲が従来よりも広くなった接続部を有することでかかる問題を解決する事を目的とする。
【課題を解決するための手段】
【００１９】
本発明に係る電気掃除機用取替えノズルは、掃除機につながるホースの先端の口に取り付けられる電気掃除機用取替えノズルであって、筒状の胴体面を有し、前記胴体面の掃除機につながるホースの先端の口の側に、ホースの口に挿着する接続部を有し、接続部の反対側の端部に吸い込み口を有し、前記接続部の外周面に、掃除機につながるホースの先端の口の内周面と接する接続面を有し、前記接続部の開端部の周面から、前記接続面に切れ込みが入っていることを特徴としている。
【００２０】
さらに、上記接続部の開端部の周面から、上記接続面に切れ込みが1本入っていることを特徴としている。
【００２１】
さらに、上記接続面に複数の凹凸を有することを特徴としている。
【００２２】
さらに、上記接続部は開端部に向かって窄まった形状で、上記吸い込み口が斜めに切り取られた形状であることを特徴としている。
【００２３】
さらに、紙または、シリコン樹脂などの可塑性のある材料からなることを特徴としている。
【００２４】
さらに、上記吸い込み口の開端部の周面から、上記胴体面に複数の切れ込みが入って、開端部の周面が円形のブラシ状になっていることを特徴としている。
【発明の効果】
【００２５】
請求項１の発明によれば、円柱形の筒状体は従来の取り付け口に向かって窄まった形状よりも成形が容易となり製造効率に優れる。さらに、掃除機につながるホースの口側の周面から接続面に切れ込みが入っていることで、ノズルの外径が切れ込みの部分で窄まり、ノズルの外径をホースの内径に合わせて小さくすることが出来る。さらに、小さく窄められたノズルの接続部が戻ろうとする力によってホースの内周面と圧着するので、ゴム製のアタッチメント無しでそのままパイプの太さが違う多くの異なる掃除機吸い込み口に固着することが可能である。
【００２６】
請求項２の発明によれば、掃除機につながるホースの口側の周面から接続面に切れ込みが１本入ることで、ノズルの外径が切れ込みの部分で窄まり、ノズルの外径をホースの内径に合わせて小さくすることが出来る。さらに、小さく窄められたノズルの接続部が戻ろうとする力によってホースの内周面と圧着するので、ゴム製のアタッチメント無しでそのままパイプの太さが違う多くの異なる掃除機吸い込み口に固着することが可能である。さらに、切れ込みが１本だけで良いのでノズルの製造工程が最小限に抑えられ、製造効率に優れる。また、切れ込みが１本だけなので、ノズルの強度を保ちながらノズルの外径を窄めることが出来る。さらに、切れ込みが複数あるよりも、切れ込みが一本の方が、切れ込み部分から内側に胴体面が折れ曲がりにくいという効果がある。
【００２７】
請求項３の発明によれば、掃除機につながるホースの口側の接続面に複数の凹凸を有することで、上記ホースの口の内周面と上記接続面とが接する面の滑りが止められて、ホースからノズルが外れにくいという効果がある。
【００２８】
請求項４の発明によれば、掃除機差込口側が先端よりもすぼまった形状であることから、パイプの太さが違う多くの異なる電気掃除機吸い込み口に適合して取り付けが可能で、斜めの吸い込み口により床に安定して接した吸い込みができる。
【００２９】
請求項５の発明によれば、紙をリサイクルペーパーなどの材料にすると使い捨てができるので、トイレや玄関用に使用して、汚れたら捨てることができる。また、布団などの綺麗に使いたい場所には専用に使うことができる。さらに洗うことができて耐熱性の柔らかい素材を使用した場合は、多くの掃除機吸い込み口に適合して取り付けが可能で、汚れたら熱湯消毒して繰り返し使用できる。このように柔軟性のある材料を使用する事で、色々な大きさの掃除機差込口に対応して密着感のある装着ができる。さらにリサイクルペーパーなどの紙の材料の場合は、ノズルの先端の形を任意の形に変えられるので、狭い部分を掃除するときに、先端を手などで任意に細く潰して使用する事ができる。
【００３０】
請求項６の発明によれば、先端部のブラシ状の形状により、布団掃除や埃を払いながら吸引することができる。
【図面の簡単な説明】
【００３１】
【図１】本発明に係る一実施例による掃除機用取替えノズルを示した斜視図である。
【図２】本発明に係る一実施例による掃除機用取替えノズルの接続部を示した側面図である。
【図３】本発明に係る一実施例による掃除機用取替えノズルの接続部を示した側面図である。
【図４】本発明に係る一実施例による掃除機用取替えノズルの接続部を示した側面図である。
【図５】本発明に係る一実施例による掃除機用取替えノズルの接続部を示した側面図である。
【図６】本発明に係る一実施例による掃除機用取替えノズルの接続部を示した側面図である。
【図７】本発明に係る一実施例による掃除機用取替えノズルを示した斜視図である。
【発明を実施するための形態】
【００３２】
図１に示される本発明の一実施例による電気掃除機用取替えノズルは、筒状の胴体面２、胴体面２の先端を斜めに切り取られた形の先端部１、先端部１の反対側の端部の掃除機口３からなる。
【００３３】
図１において、筒状体の胴体面２の一端の掃除機口３の側に、電気掃除機に繋がるホースの先端の口との接合を成す接続部４を備える。この接続部４の外周面は、掃除機につながるホースの先端の口の内周面と接する接続面５を有している。そして、掃除機口３の周面から接続部４に切れ込んだ、切れ込み６を有する。
【００３４】
前記切れ込み６は、１本の切れ込みが上記胴体面２に有された上記掃除機口３の周面から接続部４に有された切れ込みである。この前記切れ込み６は、掃除機口３の周面から接続部４に切れ込んだ断面の断面６ａと、断面６ａと平行に切れ込まれた断面６ｂと、断面６ａと断面６ｂを繋ぐ断面の断面６ｃからなる。
【００３５】
前記切れ込み６は、断面６aと断面６ｂが平行な直線の断面であり、その幅は２ｍｍ〜５ｍｍ位の幅であることが好ましいが、それよりも細くても、太くてもかまわない。前記切れ込み６の幅は、この電気掃除機用取替えノズルの素材が紙素材又はシリコン素材のような可塑性のある材料又はポリプロピレン等の従来の掃除機ノズルに使用される素材など、使用される素材によって適した強度や曲がり具合による可動を考慮して決められる。
【００３６】
さらに図２に示すとおり断面６ｄと断面６eが平行でなくてもかまわない。図２のように断面６ｆに向かって広がった形状や、図３に示すような掃除機口３の周面に向かって広がった形状であってもかまわない。図３のような掃除機口３の周面に向かって広がった切れ込みの形状の場合は、６iの断面が無く、６ｇと６ｈが繋がった楔形の切れ込みでもよい。また、図１や図２や図３では、掃除機口３から切れ込む二つの断面をつなぐ断面は、直角の角度で繋いでいる。しかし、図４のように断面６ｌの部分が円形にくりぬかれた断面として断面６ｊと断面６ｋを繋いでいてもかまわない。前記のように断面６ｌが円形であると、断面６ｌの部分で亀裂が入るのを防ぐ効果を持たせられる。
【００３７】
また、上記切れ込み６は掃除機口３から垂直に接続面５に切れ込んでいることが好ましいが、図５に示すように垂直ではなく斜めに切れ込んでいてもかまわない。また、切れ込み６が直線でなく曲線であってもかまわない。たとえば図６のように断面６ｐと断面６ｑが平行に波型の曲線の形状をしていてもかまわない。前記のような波型の曲線をした切れ込みであると直線の切れ込みよりも筒状の胴体面が窄まる時に、切断面がかみ合わさりすき間が塞がって窄まるという効果や意匠的に独自であるという効果がある。
【００３８】
また、上記筒状の胴体面２は上記先端部1の周囲と上記掃除機口３の周囲が同じ大きさの円柱状の筒である。しかし、前記掃除機口３に向かって窄まった筒型をしていてもかまわない。円柱の場合は成形が容易であり、紙などの素材で作る際に適している。すぼまった形であると、使用する掃除機につながるホースの内径の僅かなバラツキを吸収して、ガタ等の生じない嵌合が成される。したがって、円柱形よりも一層いろいろな大きさの掃除機口に嵌合する事が出来るという利点がある。
【００３９】
また、先端部１の先がT字型の吸入口の形状やブラシ付きの吸入口をしていてもかまわないので、先端部１の先の形状は用途に合わせた様々な形状と組み合わせることができる。
【００４０】
上記切れ込み６は胴体面２に一本切れ込みが入ったものである。切れ込みが一本だけであることは製作するさいの加工工程が一回だけで最小限で済むという利点がある。さらに切れ込みが一本だけなのでノズルの強度が保たれ、上記断面６ｃの部分で胴体面が折れるということを防ぐという効果もある。しかし、切れ込み６が一本ではなく２本ないし３本ないし４本といった複数の切れ込みを有することも可能である。切れ込み６の形状が複数有する場合は、ノズルの周囲の大きさを変えることがより容易となるという効果があるので色々な大きさの掃除機につながるホースの口に対応することができる。
【００４１】
この電気掃除機用取替えノズルは、リサイクルペーパーのような紙素材、耐熱性のあるシリコン素材のような可塑性のある材料からなり、掃除機のホース先端に取り付けると、切れ込み４の部分で掃除機口３の周囲の大きさが調節され、色々な大きさの掃除機ホースに取り付けることができる。筒状の円柱形は紙素材を加工して成形することに適しており、紙素材を窄まった筒状に加工するよりも容易である。
【００４２】
図７はさらに別の一実施例による電気掃除機用取替えノズルを示しており、筒状の胴体面７、胴体面７の先端を斜めに切り取られた形の先端部８、先端部の反対側の掃除機口９からなる。
【００４３】
図７において、筒状体の胴体面７の一端の掃除機口９の側に、電気掃除機に繋がるホースの先端の口との接合を成す接続部１１を備える。この接続部１１の外周面は、掃除機につながるホースの先端の口の内周面と接する接続面１２を有している。そして、掃除機口９の周面から接続部１１に切れ込んだ、切れ込み１０を有する。
【００４４】
胴体面７は先端部８から反対側の掃除機口９に向かって徐々に窄まっていく形をしていて、掃除機口９の周面から軸方向に沿う切れ込みの切れ込み１０を有する。
【００４５】
または、胴体面７は先端部８側の筒部は円柱形の筒状を成し、前記先端部８側の筒部と上記接続部１１とのつなぎ目から、掃除機口９に向かって徐々に窄まっていくテーパを成す形でもかまわない。
【００４６】
図７の電気掃除機用取替えノズルは、リサイクルペーパーのような紙素材、耐熱性のあるシリコン素材のような可塑性のある材料からなり、掃除機のホース先端に差し込むと、切れ込み１０の部分で掃除機口９の周囲の大きさが調節され、色々な大きさの掃除機ホースに取り付けることができる。
【００４７】
掃除機口９は、先端部８の反対側の周面であり、電気掃除機に繋がるホースの先端の口と接続する接続部１１を有し、この接続部１１の外周面は、掃除機につながるホースの先端の口の内周面と接する接続面１２を有している。そして、掃除機口９の周面から接続部１１に切れ込んだ、切れ込み１０を有する。
【００４８】
また、上記筒状の胴体面７は接続部１１が上記掃除機口９の周面に向かって徐々にすぼまった形状をしている。上記掃除機口９に向かってすぼまった形であると、円柱形よりも一層いろいろな大きさの掃除機口にガタ等の生じない確実な嵌合が成されるという利点がある。
【００４９】
また、先端部８の先がT字型の吸入口の形状やブラシ付きの吸入口をしていてもかまわないので、先端部８の先の形状は用途に合わせた様々な形状と組み合わせることができる。
【００５０】
前記切れ込み１０は、１本の切れ込みが上記胴体面７に有された上記掃除機口９の周面から接続部１１に有された切れ込みである。この前記切れ込み１０は、掃除機口９の周面から接続部１１に切れ込んだ断面の断面１０ａと、断面１０ａと平行に切れ込まれた断面１０ｂと、断面１０ａと断面１０ｂを繋ぐ断面の断面１０ｃからなる。そして図２から図４の切れ込みの形状のようないろいろな形状をする実施例もある。
【００５１】
先端部の形状は、いずれの実施例においても図１から図３に示すような斜めに切り取られた形に限らず、斜めに切り取られた形をさらに先端を軸方向に垂直に長方形に細くすぼめた形状や、軸方向に水平に長方形に細く潰したような形状などでもかまわない。
【００５２】
また、この接続部４の外周面は、掃除機につながるホースの先端の口の内周面と接する接続面５を有しており、同様に接続部１１の外周面は、掃除機につながるホースの先端の口の内周面と接する接続面１２を有している。そして前記接続面５及び接続面１２には複数の凹凸を有することが好ましい。複数の凹凸は線状の溝又は突起や、粒状の凹凸であってもよい。これらの凹凸によって掃除機につながるホースの先端の口の内周面と接するときの滑り止めの効果がある。
【符号の説明】
【００５３】
１先端部
２胴体面
３掃除機側口
４接続部
５接続面
６切れ込み
６a切れ込み断面
６ｂ切れ込み断面
６ｃ切れ込み断面
６ｄ切れ込み断面
６e切れ込み断面
６ｆ切れ込み断面
６ｇ切れ込み断面
６ｈ切れ込み断面
６i切れ込み断面
６ｊ切れ込み断面
６ｋ切れ込み断面
６ｌ切れ込み断面
６ｍ切れ込み断面
６ｎ切れ込み断面
６o切れ込み断面
６ｐ切れ込み断面
６ｑ切れ込み断面
６ｒ切れ込み断面
７胴体面
８先端部
９掃除機口
１０切れ込み
１０a切れ込み断面
１０ｂ切れ込み断面
１０ｃ切れ込み断面
１１接続部
１２接続面
【図１】
2013215462.tif 000003
【図２】
2013215462.tif 000004
【図３】
2013215462.tif 000005
【図４】
2013215462.tif 000006
【図５】
2013215462.tif 000007
【図６】
2013215462.tif 000008
【図７】
2013215462.tif 000009